(57)【要約】【課題】一般ユーザにとって容易かつ簡単に、対象となるＬＥＤ表示装置に対してのみ設定操作が行われるようにする。【解決手段】ＬＥＤ表示装置１の表示を変更するなどの設定を行う際には、リモコン２において設定キー２１が押下されると、制御部２４では、そのキー信号を認識し、設定開始として記憶部２６からパスワードのコード情報を読み出し、信号発光駆動部２５にてコード情報を送信コード化して、パスワードコードをＬＥＤ表示装置１へ送信する。  一方、ＬＥＤ表示装置１側では、リモコン２側からのコード信号を信号受光部１１で受けて、制御部１２では信号受信処理を行い、コード解析処理を行い、記憶部１３に記憶されている記憶コードと一致するか否かを判定して、一致した場合にリモコン２側からの変更処理信号を受け入れ、ＬＥＤ駆動部１４などに対する設定の変更を行う設定処理モードに入る。【選択図】図１
2006235467.tif 000002
【特許請求の範囲】
【請求項１】
複数のＬＥＤ発光素子を備え、文字，図形を表示するＬＥＤ表示装置と、該ＬＥＤ表示装置に対して各種設定を行うリモコン装置とからなり、前記ＬＥＤ表示装置において前記リモコン装置からのパスワード信号を受けてパスワードを判定し、一致した場合に前記各種設定を可能にする構成のＬＥＤ表示システムであって、
前記リモコン装置に、設定されたパスワードを記憶するパスワード格納部を設け、前記リモコン装置による前記ＬＥＤ表示装置に対する設定時に、前記リモコン装置において前記パスワード格納部から前記パスワードを読み出してパスワード信号を前記ＬＥＤ表示部の信号判定処理部へ出力することを特徴とするＬＥＤ表示システム。
【発明の詳細な説明】
【技術分野】
【０００１】
本発明は、多数のＬＥＤ（発光ダイオード）の発光をコントロールして文字，図形，それらが混在した表示を行うＬＥＤ表示装置と、ＬＥＤ表示装置に対して表示，図形の設定を含む各種設定／変更を通信手段を備えたリモコン装置により行うＬＥＤ表示システムに関するものである。
【背景技術】
【０００２】
近年、ＬＥＤ表示装置は、その価格が安くなったこと、ニーズの多様化により、同一機種のものを複数台、隣接して設置し、それぞれ別の情報を表示させるという使い方が増えている。また、個人商店，商店街などでは、近隣に同一機種のものが設置され、それらが別々の表示を行っているような状況にある。
【０００３】
このような状況下にあって、リモコン（リモートコントローラ）のようなワイヤレス入力装置を用いて表示データの変更などの設定を行う場合、対象とするＬＥＤ表示装置のみならず、近くに設置されている設定の必要のないＬＥＤ表示装置にリモコンからの信号が入力し、誤動作させてしまうという問題が発生していた。
【０００４】
そこで、ＬＥＤ表示装置にパスワード判定機能を具備させ、あらかじめ設定したパスワードをリモコンから入力し、そのパスワードの一致がＬＥＤ表示装置において判定された場合のみ、そのＬＥＤ表示装置に対する各種設定を可能にするため、ＬＥＤ表示装置とリモコンとが１対１の関係になるようにした構成の装置が市販されている。
【０００５】
図５，図６を参照して従来のＬＥＤ表示装置のリモコンによる前記設定動作の一例について説明する。
【０００６】
図５は従来のリモコンにおける信号送信に係るフローチャートであり、リモコンでは、任意のキーが押下されると、制御部において、その押下キーが判別され（Ｓ１０１）、その押下キーに対応するキー信号が読み出され（Ｓ１０２）、そのキー信号が送信部から送信される（Ｓ１０３）。
【０００７】
図６は従来のＬＥＤ表示装置におけるパスワードのコード認証処理に係るフローチャートであり、制御部において、リモコンから前記キー信号が入力されると、受信処理が行われ（Ｓ１０４）、表示部にユーザがパスワードのコードを入力するように、表示部にコード入力要求に関する表示がなされる（Ｓ１０５）。ユーザがリモコンにてパスワードのコードを入力し、それが通信出力されると（Ｓ１０６）、ＬＥＤ表示装置では、制御部にて受信した信号によりコード解析処理が行われ（Ｓ１０７）、受信したコードが既に設定されて記憶されている記憶コードと一致するか否かが判定され（Ｓ１０８）、一致すれば各設定モード処理に入り（Ｓ１０９）、不一致であれば受信した信号を無効にする（Ｓ１１０）。無効の場合には、その旨の表示が行われる。
【０００８】
前記のようにＬＥＤ表示装置とリモコンとが１対１の関係になるようにするために、パスワードにより設定を行うことが有利であるが、その問題点についても各種対策が施され、また種々の提案がなされている（例えば特許文献１参照）。
【特許文献１】特開２０００−８９７２６号公報
【発明の開示】
【発明が解決しようとする課題】
【０００９】
前記のように一般的な方法として、リモコンにおいてパスワードを設定することにより、ＬＥＤ表示装置に１対１に対応させることができるが、ＬＥＤ表示装置に対する設定操作に際して、ユーザは、毎回、パスワードを入力する必要がある。
【００１０】
しかしながら、一般ユーザにとって、前記のようなパスワード設定操作は煩雑であり、また、特許文献１に記載の発明においても、パスワードを忘れたときの復旧作業が必要となり、その作業も手間がかかるという課題がある。
【００１１】
本発明の目的は、前記従来技術の課題を解消し、一般ユーザにとって容易かつ簡単に、対象となるＬＥＤ表示装置に対してのみ設定操作が行われるようなＬＥＤ表示システムを提供することにある。
【課題を解決するための手段】
【００１２】
前記目的を達成するため、本発明は、複数のＬＥＤ発光素子を備え、文字，図形を表示するＬＥＤ表示装置と、該ＬＥＤ表示装置に対して各種設定を行うリモコン装置とからなり、前記ＬＥＤ表示装置において前記リモコン装置からのパスワード信号を受けてパスワードを判定し、一致した場合に前記各種設定を可能にする構成のＬＥＤ表示システムであって、前記リモコン装置に、設定されたパスワードを記憶するパスワード格納部を設け、前記リモコン装置による前記ＬＥＤ表示装置に対する設定時に、前記リモコン装置において前記パスワード格納部から前記パスワードを読み出してパスワード信号を前記ＬＥＤ表示部の信号判定処理部へ出力することを特徴とし、この構成によって、ユーザは、１回パスワードを設定すれば、リモコンによるパスワード入力操作を毎回行うことなく、リモコンからＬＥＤ表示装置に対する設定操作を行うことができ、しかも、ＬＥＤ表示装置とリモコンは１対１に対応しているため、当該リモコンにより他のＬＥＤ表示装置を誤作動させることもない。
【発明の効果】
【００１３】
本発明によれば、ＬＥＤ表示装置とリモコンは１対１の通信が可能になり、従来のような他のＬＥＤ表示装置を誤作動させてしまうことを未然に防止することができる。また自動的にパスワードの判定が行われることになるため、ユーザはパスワードを忘れた場合でも各種設定が不能になることがなく、使い勝手がよく、容易かつ簡単に、常にＬＥＤ表示装置とリモコンとを１対１の関係にすることができる。
【発明を実施するための最良の形態】
【００１４】
以下、本発明の実施の形態を図面を参照して説明する。
【００１５】
図１は本発明のＬＥＤ表示システムの実施形態を説明するための構成図であり、１は、複数のＬＥＤ（図示せず）を有して、文字，図形，それらが混在した表示を行うＬＥＤ表示装置、２はＬＥＤ表示装置１に対して各種設定を光などのワイヤレス信号Ｓにて設定するリモコンである。
【００１６】
ＬＥＤ表示装置１において、１１は信号受光部、１２はＣＰＵ（中央演算処理装置）などからなる制御部、１３は各種データを記憶する記憶部、１４はＬＥＤを駆動するＬＥＤ駆動部である。
【００１７】
リモコン２において、２１は各種設定を開始するための設定キー、２２はテンキー、２３は信号発光部、２４はＣＰＵ（中央演算処理装置）などからなる制御部、２５は信号発光駆動部、２６は各種データを記憶する記憶部である。
【００１８】
図２のフローチャートを参照して本実施形態におけるＬＥＤ表示装置１とリモコン２間のパスワードコード設定について説明する。
【００１９】
ユーザがＬＥＤ表示装置１に対して初めてパスワード設定を行うときに、ユーザがリモコン２の設定キー２１を押すと、設定開始信号が信号発光部２３からＬＥＤ表示装置１へ送られる。ＬＥＤ表示装置１の信号受光部１１で受信され、信号判定処理部としての機能を有する制御部１２ではコード認証設定が有効か否かを判定する（Ｓ１）。例えば、設定キー信号、あるいは対応する機種であることなどが認識されたときに、認証有効としてリモコン２からのコード受信処理に入る（Ｓ２）。その他の状態では無効と判断し（Ｓ３）、その旨を表示する。
【００２０】
前記ステップＳ２において、コード受信処理に入ると、ＬＥＤ表示装置１では、ユーザによるリモコン２のテンキー２２などの操作によって送信されてきたコード情報を認識してコード登録処理を行う（Ｓ４）。コード登録処理では、ＬＥＤ表示装置１において、当該コード情報を記憶部１３に記憶する（Ｓ５）。これによってコード認定が有効に設定される（Ｓ６）。
【００２１】
一方、リモコン２側でも、コード認証が有効であるとされた時点で、送信したコード情報をパスワード格納部である記憶部２６に記憶する。
【００２２】
前記パスワードコード設定を、設定初回に１回行うだけで、ＬＥＤ表示装置１とリモコン２とが１対１の関係で通信が行われる状態になる。
【００２３】
前記パスワードコード設定を行った後に、ＬＥＤ表示装置１の表示を変更するなどの設定を行う際には、図３に示すフローチャートに示すように、ユーザが、リモコン２において設定キー２１が押下されると（Ｓ１１）、リモコン２の制御部２４では、そのキー信号を認識し（Ｓ１２）、設定開始として記憶部２６からパスワードのコード情報を読み出し（Ｓ１３）、信号発光駆動部２５にてコード情報を送信コード化して（Ｓ１４）、パスワードコードをＬＥＤ表示装置１へ送信する（Ｓ１５）。
【００２４】
一方、ＬＥＤ表示装置１側では、図４のフローチャートに示すように、リモコン２側からのコード信号を信号受光部１１で受けて、制御部１２では信号受信処理を行い（Ｓ２１）、コード解析処理を行い（Ｓ２２）、記憶部１３に記憶されている記憶コードと一致するか否かを判定して（Ｓ２３）、一致すればリモコン２側からのテンキー入力信号などの変更処理信号を受け入れ、ＬＥＤ駆動部１４などに対する設定の変更を行う設定処理モードに入る（Ｓ２４）。ステップ（Ｓ２５）でコードが一致しなければ無効と判定して、その旨を表示する。
【００２５】
なお、本実施形態では、パスワードを設定するために、ユーザによって、リモコン２側から任意のコードを入力する例を説明したが、リモコン２側の例えば制御部２４などにランダムにパスワードコードを自動的に送信する機能を具備させ、前記と同様にＬＥＤ表示装置１およびリモコン２に記憶させることにより、ユーザにおけるパスワードコード設定のための操作を、より軽減させることができる。
【００２６】
本実施形態によれば、図６に示す従来装置と比較して、コード入力要求に関する表示、および設定変更ごとのパスワードコードの入力が必要なく、設定，変更の作業を簡単かつ容易にすることができる。しかも、他のＬＥＤ表示装置との混信を防止することができるなど実際上の効果が大である。
【産業上の利用可能性】
【００２７】
本発明は、光通信あるいは無線通信などにより特定の表示装置に対して設定，変更を行うワイヤレス通信タイプのリモコン装置からなる表示システムに適用され、特に、ユーザに作業，操作上の負担をかけずに、対象外の表示装置と混信することを防止するための技術として有用である。
【図面の簡単な説明】
【００２８】
【図１】本発明のＬＥＤ表示システムの実施形態を説明するための構成図
【図２】本実施形態におけるＬＥＤ表示装置とリモコン間のパスワードコード設定に係るフローチャート
【図３】本実施形態におけるリモコン側の設定操作／動作に係るフローチャート
【図４】本実施形態におけるＬＥＤ表示装置側の設定動作に係るフローチャート
【図５】従来のリモコンにおける信号送信に係るフローチャート
【図６】従来のＬＥＤ表示装置におけるパスワードのコード認証処理に係るフローチャート
【符号の説明】
【００２９】
１  ＬＥＤ表示装置
２  リモコン
１１  信号受光部
１２，２４  制御部
１３，２６  記憶部
１４  ＬＥＤ駆動部
２１  設定キー
２２  テンキー
２３  信号発光部
２５  信号発光駆動部
【図１】
2006235467.tif 000003
【図２】
2006235467.tif 000004
【図３】
2006235467.tif 000005
【図４】
2006235467.tif 000006
【図５】
2006235467.tif 000007
【図６】
2006235467.tif 000008